(57)【要約】      （修正有）【課題】調整や研削加工が容易であり、遺体の口元を生前の面影に近づけ故人を偲ぶことができる、口蓋整形処置用の義歯を提供する。【解決手段】故人が生前使用していた義歯で歯型を作り、その歯型に基づきパラフィン材の義歯９、１０を作製し、上下の顎１１、１２にＬ字形の顎固定部１６、１７で口蓋に嵌め込み装着する。遺体の顎等が損傷又は欠損している場合でも補修でき、遺体の唇から調整した義歯が見えるなど調整して、口元を生前の面影に近づけることができる。火葬後、遺骨の中に器具を残さない。【選択図】図１
0003199972.tif 000002
【実用新案登録請求の範囲】
【請求項１】
遺体火葬用の義歯、故人の口元を生前に近い面影を保つための葬祭用で、使用していた義歯前面部を可塑性の素材で歯型を作製、整形された義歯の前歯複数本列を使用する、義歯はパラフィン材を使用し調整や研削加工が容易で、単品でも遺体の口蓋に合わせ整形して上下の顎に固定装着する、遺体の口元を生前の面影に近づけ、故人を偲び葬儀を執りおこなうことを特徴とする、口蓋整形処置法。
【請求項２】
請求項１に記載の、口蓋整形処置で、生前使用の義歯で扁形した歯型を使用して作製、整形した上下の前歯部材の複数列を義歯の内側で溶融一体化させ、義歯の義歯歯茎内面をＬ字形に整形加工して口蓋に嵌め込む、歯茎部と歯部や歯の欠損部分は溶融接合し補修、歯茎部の位置や義歯の取り付け角度等を調整して、遺体の顎が損傷や欠損している場合は顎部を素材で修復し、故人が総入れ歯でも義歯を奥歯部材までは作製しない、故人の義歯でない各部材も同素材で複数個複製して、これら各部材から選択することで整形や加工を簡略化でき、頬部で陥没が有れば上下の顎で詰綿を噛ませて、口元を整えることを特徴とする、口蓋整形処置法。
【考案の詳細な説明】
【技術分野】
【０００１】    本考案は、遺体の火葬用義歯整形で、口元を生前に近い面影を保ち献花時等、遺体の火葬を行う為に義歯等金属器具は取り外されて、唇が義歯を取り外した部分で口蓋に落ち込むなど、口元が故人の生前の面影もなくなってしまう、そのため口蓋に合わせ故人の使用していた義歯で歯型を作製し、溶融素材のパラフィン材で義歯を製作する、故人の使用していた義歯を使用するため、総入れ歯や部分義歯でも装着に支障は無く、パラフィン材の義歯であり短時間で加工ができ、遺体の口元から微調整した義歯が見えるなど、生前の面影に近づけ故人を偲び葬儀を執りおこなうことを特徴とする、遺体の口蓋整形処置法に関する。
【背景技術】
【０００２】    遺体の口腔に装着する器具で、義歯を並べた歯列をアーチ状に保つため、ワイヤーで口腔内の詰綿に突き刺し固定、固定部材は義歯床部の両端部から突出させ、口腔義歯器具を前歯だけでは無く奥歯部まで一体化させて、作製した義歯を上下で固定や口腔内を詰物で満たす処置法などで、総入れ歯で有れば装着が出来るが、故人により一部欠損や口蓋の上下顎部の大きさや形状により、装着が困難となり故人の口蓋に合わせ加工調整が必要となる、義歯の固定器具が口元から見え遺骨の中に固定器具が残る事は、遺族にとっては痛々しさを感じるものである。
【先行技術文献】
【特許文献】
【０００３】
【特許文献１】  特開２００２−０８５４９１号
【特許文献２】  特開２００２−５２０５０号
【特許文献３】  特開２０１３−２３０２３２号
【特許文献４】  実登３０５０３６８号
【考案の概要】
【考案が解決しようとする課題】
【０００４】    上記特許文献１は、顔面矯正具で口腔内に装着し頬部を伸張させるもので、両頬を口腔内から押圧する一対の頬押圧部を有し、頬肉伸張部材は内部に気体を封入した袋で頬部を伸張させる、これは口腔内部を詰め物部材で満たし顔面矯正具するもので、義歯を唇から覗かせ口元を生前の面影に近づけられる物ではない。
上記特許文献２の示す器具は、口腔内に装着する器具は上歯列と下歯列を、外面を覆うように前部から両奥部に向けて湾曲させる物であり、前歯の上端縁と下端面に沿う位置にて前歯下端面部で係止する、この口腔内装着具は総入れ歯であれば加工調整せず装着できるが、口腔内奥まで一体化されており部分入れ歯や一部欠損歯部など、健康な歯が残留している場合には、この口腔内装着具の装着は困難である。
上記特許文献３の示す遺体用義歯は、人工歯を並べた歯列と歯列を覆う基礎部分と、裏側に設けた歯列のアーチ状部分を保持するワイヤー部材で、口中の詰綿に突き刺し固定して、円錐状部材を用い義歯奥で両端に裏面から突出させる、火葬後に遺骨の中に金属器具が散乱するのは、遺族にとって耐え難いものである。
上記特許文献４の示す遺体顔部の調整用口腔内挿入物で、義歯の代わりに歯列に相当する形状にパテや接着剤など使用し、固定物を調整用口腔内挿入するこれも詰物であり、義歯を唇から覗かせ口元を生前の面影に近づける物ではない。
【課題を解決するための手段】
【０００５】    上記、課題を解決するため、本考案は、生前使用していた義歯で歯型を作製し、溶融素材のパラフィン材の義歯で口元の部分のみを製作する、故人の使用していた義歯を使用するため総入れ歯や欠損した歯でも、装着に支障は無く義歯の整形もパラフィン材であり、短時間で調整加工ができ遺体の口元から微調整した、義歯が見えるなど調整して生前の面影に近づけ、故人を偲び葬儀を執りおこなうことを特徴とする、口蓋整形処置法である。【０００６】    故人が生前に使用していた義歯で歯型を作製し、可燃性の義歯の前歯部分で複数本列を使用し、故人が総入れ歯や部分義歯でも装着に支障は無く、パラフィン材を使用するので調整や研削加工が容易で、単品でも遺体の口蓋に合わせ整形して、上下の顎に装着することを特徴とする、口蓋整形処置法である。【０００７】    故人が総入れ歯でも義歯を奥歯部までは作製せず、パラフィン材で前歯の歯茎部と歯形や歯の欠損部を作製、健全な歯は残し部分義歯の金属やインプラントは抜歯し、簡易な電熱器具等で部材の位置調整や研削が容易であり、歯茎の位置や歯形の取り付ける角度等も溶融接合で微調整して、故人の義歯でない各部材も同素材で複数個複製することで、これら部材から選択し整形や加工作業を簡略化でき、遺体の口蓋の形状は個性の特徴で皆一様でなく、パラフィン材で整形し顎と一体化させ口蓋に嵌め込み装着し、頬部で陥没が有れば詰綿をおこなうことを特徴とする、口蓋整形処置法である。
【考案の効果】
【０００８】    生前に使用していた故人の義歯で歯型を作製し、可燃性の義歯で前歯部分を複数本列使用し装着する、総入れ歯や部分義歯でも装着に支障は無く、溶融素材のパラフィンを使用するので調整や研削加工が容易であり、単品でも遺体の口蓋に合わせ整形し上下のどちらかの顎に装着でき、遺体の口元を生前の面影に近づけ故人を偲ぶことができる、口蓋整形処置法である。【０００９】    パラフィン材で歯茎部や歯形を作製することで、簡易な電熱器具等で部材の位置調整や研削が容易で、歯茎の位置や歯形の取り付ける角度等も微調整できる、故人が総入れ歯でも義歯を奥歯部までは作製せず、上下の前歯複数列を義歯の内側で溶融一体化させ、遺体の顎が損傷又は欠損している場合も、パラフィン材で整形し顎と一体化させ、Ｌ字形義歯歯茎内面で口蓋に嵌め込み固定する、故人の義歯でない各部材も同素材で複数個複製して、これら部材から選択することで整形や加工を簡略化でき、頬部で陥没が有れば上下の顎で詰綿を噛ませて、故人の口元を和やかな生前の面影に近い顔立ちにする、口蓋整形処置法である。
【図面の簡単な説明】
【００１０】
【図１】  （Ａ）は、本考案となる火葬用義歯前歯の形態図である。（Ｂ）は、上下の義歯を義歯上下接合部で接合した側面図である。
【図２】  （Ｃ）は、義歯上下接合部で溶融接合する義歯の角度を、上顎と下顎部で計測する側面図である。（Ｄ）は、上顎の欠損上顎部を義歯の歯茎部で補修し、装着した側面図である。
【図３】  （Ｅ）は、故人の歯型で作製した義歯歯茎側面部単体の側面図である。（Ｆ）（ａ）は、義歯前歯の正面図である。（Ｆ）（ａ”）は、前歯の欠損部を修復した正面図である。（Ｇ）は、パラフィンの義歯歯茎内面をＬ字形に整形加工した側面図である。
【図４】  （ア）は、可塑性の材料で故人の義歯の型を取っている側面図である。（イ）は、義歯を外し義歯の歯型が出来た側面図の一例図である。
【考案を実施するための形態】
【００１１】    遺体の火葬で義歯等金属器具を取り外し、遺体の唇が義歯を取り外した部分で口蓋に落ち込み、故人の口元が生前の面影もなくなってしまう、そのため故人の義歯で歯型を作製しパラフィン材で義歯を作製、遺体の顎が損傷又は欠損していても補修整形して、遺体の唇から調整したパラフィン義歯が見えるなど、故人の面影を生前に近い口元に義歯で整形処置を行う、口蓋整形処置法である。
【実施例】
【００１２】    図１（Ａ）は、義歯前歯上９と義歯前歯下１０の各４本列を義歯の内側で、溶融接合し顎に挿入嵌め込み装着する義歯の形態図である。
図１（Ｂ）は図（Ａ）を、口腔内に嵌め込み装着した側面図で、故人の使用した義歯でパラフィン義歯を作製し、義歯前歯上９と義歯前歯下１０とを義歯上下接合部１３で溶融接合し、Ｌ字形義歯歯茎内面１７を使用し上顎１１と下顎１２にＬ字形下顎固定部１６で嵌め込んだ義歯の側面図である。
図２（Ｃ）は、義歯上下接合部１３で溶融接合する義歯取付角度２４を、上顎１１と下顎１２で計測し義歯前歯上９と義歯前歯下１０の、義歯取付角度２４を決定する側面図の一例図ある。
図２（Ｄ）は、上顎１１の欠損上顎部１４を補修義歯歯茎部１５で補修し、義歯上下接合部１３で接合した義歯前歯上９を溶融接合し、Ｌ字形下顎固定部１６を下顎１２に嵌め込み装着した側面図である。
図３（Ｅ）は、一部欠損義歯用で故人の使用した義歯型で作製した、パラフィン材の義歯歯茎側面部単体７の側面図である
図３（Ｆ）の（ａ）は、義歯前歯単体８の正面図である。
図３（Ｆ）の（ａ”）は、欠損前歯２５を補修義歯前部２６に修復した正面図である。
図３（Ｇ）は、故人の義歯を使用し作製した火葬用の義歯前歯１で、義歯前歯側面６と義歯歯茎側面３でＬ字形義歯歯茎内面１７に加工し、上下の顎に装着する側面図の一例図である。
図４（ア）は、故人の使用していた義歯を可塑材１８で歯型を作製する、故人の義歯歯茎前面２を可塑材１８の中に押し込み、義歯前歯１の前面部を可塑材１８に強く押しつけることで義歯型を作製する側面図である。
図４（イ）は、故人の使用していた義歯を歯型から抜き出して、義歯歯茎前面陥没部２１と義歯前歯扁形部１９や義歯歯茎扁形部２０を作製した義歯型で、可塑材１８の側面図である。
【産業上の利用可能性】
【００１３】  故人の使用していた義歯の歯型で作製したパラフィン材の義歯、遺体の上下の顎に嵌め込み装着固定する義歯で、火葬までの数日間であり総入れ歯でも奥歯部まで作製する必要性はなく、簡易に口蓋整形処置をおこない顎等の損傷又は欠損でも、部分的に損傷部や歯茎部などを溶融整形し補修ができ、上下の顎にＬ字形の顎固定部で口蓋に嵌め込み装着が容易で、口元を生前の面影に近づけ故人を偲び葬儀を執りおこなうことを特徴とする、口蓋整形処置法である。
【符号の説明】
【００１４】  １  義歯前歯
２  義歯歯茎前面
３  義歯歯茎側面
４  歯茎内面
５  口腔部
６  義歯前歯側面
７  義歯歯茎側面部単体
８  義歯前歯単体
９  義歯前歯上
１０  義歯前歯下
１１  上顎
１２  下顎
１３  義歯上下接合部
１４  欠損上顎部
１５  補修義歯歯茎部
１６  Ｌ字形下顎固定部
１７  Ｌ字形義歯歯茎内面
１８  可塑材
１９  義歯前歯扁形部
２０  義歯歯茎扁形部
２１  義歯歯茎前面陥没部
２２  上顎角度線
２３  下顎角度線
２４  義歯取付角度
２５  欠損前歯
２６  補修義歯前歯部
【図１】
0003199972.tif 000003
【図２】
0003199972.tif 000004
【図３】
0003199972.tif 000005
【図４】
0003199972.tif 000006
【手続補正書】
【提出日】平成27年5月15日(2015.5.15)
【手続補正１】
【補正対象書類名】実用新案登録請求の範囲
【補正対象項目名】全文
【補正方法】変更
【補正の内容】
【実用新案登録請求の範囲】
【請求項１】
遺体火葬用の義歯故人の口元を生前に近い面影を保つため使用していた義歯前面部を可塑性の素材で歯型を作製して義歯の前歯複数本列を使用する義歯はパラフィン材を使用し調整や研削加工が容易で単品でも遺体の口蓋に合わせ整形して上下の顎に固定装着する遺体の口元を生前の面影に近づける口蓋整形処置の義歯で故人を偲び葬儀を執りおこなうことを特徴とする口蓋整形処置用の義歯
【請求項２】
請求項１に記載の口蓋整形処置で生前の義歯で扁形した歯型を作製整形し上下の前歯部材の複数列を義歯の内側で溶融一体化させ義歯の義歯歯茎内面をＬ字形に整形加工して口蓋に嵌め込む歯茎部と歯部や歯の欠損部分は溶融接合し補修歯茎部の位置や義歯の取り付け角度等を調整して遺体の顎が損傷や欠損している場合は顎部を素材で修復し故人が総入れ歯でも義歯を奥歯部材までは作製しない口蓋整形処置の義歯で故人の義歯でない各部材も同素材で複数個複製してこれら各部材から選択することで整形や加工を簡略化でき頬部で陥没が有れば上下の顎で詰綿を噛ませて、口元を整えることを特徴とする口蓋整形処置用の義歯
【手続補正書】
【提出日】平成27年7月8日(2015.7.8)
【手続補正１】
【補正対象書類名】実用新案登録請求の範囲
【補正対象項目名】全文
【補正方法】変更
【補正の内容】
【実用新案登録請求の範囲】
【請求項１】
故人が使用していた義歯から歯型を作製し作成した歯型に基づいて作成された口蓋整形処置用の義歯であって材料としてパラフィン材が用いられたことを特徴とする口蓋整形処置用の義歯
【請求項２】
請求項１に記載の口蓋整形処置用の義歯からなる上下の前歯複数列を義歯の内側で溶融一体化すると共にＬ字形の義歯歯茎部が前記上下の前歯複数列に取り付けられ遺体の口蓋前歯部が著しく損傷や欠落して遺体から火葬用の義歯前歯を作製出来ない場合にパラフィン材を用い遺体からの歯型ではない合成された義歯前歯と歯茎部等を複種類作製して口蓋部の欠損等に基づきその作成された義歯前歯や歯茎部等を溶融一体化させ遺体の口蓋部に装着することを特徴とする火葬用義歯前歯